(57)【要約】【課題】  袋ナットを簡単な取付けを顧慮して更に発展させる。【解決手段】  ある実施形の場合、袋ナット（１５）は、合成物質の射出成形部品として製造された、内ネジセグメント（２２ａ，２２ｂ）と内に向かって整向されたリングショルダセグメント（２０ａ，２０ｂ）を有する２つのナット半体（１５ａ，１５ｂ）から成る。袋ナット（１５）の両方のナット半体（１５ａ，１５ｂ）は、溝−バネ結合部（２３）によって、例えばフラップ式コックのコックハウジングの流入管上でスライド可能であり、一方のナット半体（１５ａ）は、内に向かって面取りされたクランプ脚部（２６）と、他方のナット半体（１５ｂ）の両端部（２８，２９）に形成されたバネ（３０，３１）を収容するためのそれぞれ１つの溝（２７）を有する２つのフック状の端部（２４，２５）を備えることによる。【選択図】        図３
2006052854.tif 000002
【特許請求の範囲】
【請求項１】
第１の構造部分上で２つのナット半体から組み立てられ、かつこの構造部分上に脱落不能に保持され、これらナット半体が、第２の構造部分とネジ留めすべき第１の構造部分の相応のフランジに作用させるための、特に外ネジを備えている液体及びばら荷のための合成物質又は金属から成る輸送及び貯蔵用容器の流出管に取水栓の栓ハウジングをネジ留めするための内ネジセグメントと内に向かって整向されたリングショルダセグメントを備える合成物質から成る袋ナットにおいて、
袋ナットが、溝−バネ結合部（２３）を有する２つのスライド可能なナット半体（１５ａ，１５ｂ）によって構成されており、一方のナット半体（１５ａ）が、他方のナット半体（１５ｂ）の両端部（２８，２９）に形成されたバネ（３０，３１）を収容するためのそれぞれ１つの溝（２７）を有する２つのフック状の端部（２４，２５）を備えることを特徴とする袋ナット。
【請求項２】
一方のナット半体（１５ａ）が、内に向かって面取りされたクランプ脚部（２６）有する２つのフック状の端部（２４，２５）を備えることを特徴とする請求項１に記載の袋ナット。
【請求項３】
請求項１の上位概念に記載の袋ナットにおいて、
袋ナットが、フック結合部（３３）とクリップ結合部（３４）によって組立て可能である２つのナット半体（３２ａ，３２ｂ）によって構成されており、第１のナット半体（３２ａ）が、第２のナット半体（３２ｂ）の一方の端部（３７）に形成された継板部（３８）の相応の差込口（３６）に掛け留めするためのフック状の端部（３５）を備え、第１のナット半体（３２ａ）の他方の端部（３９）に、第２のナット半体（３２ｂ）の他方の端部（４２）に形成された継板部（４３）の相応の開口部（４１）に係入するカム（４０）が形成されていることを特徴とする袋ナット。
【請求項４】
請求項１の上位概念に記載の袋ナットにおいて、
袋ナットが、フック結合部（４５）とクリップ結合部（４６）によって組立て可能である２つのナット半体（４４ａ，４４ｂ）によって構成されており、第１のナット半体（４４ａ）が、第２のナット半体（４４ｂ）の一方の端部（５１）内のネジセグメント（５０）の空所（４９）の差込口（４８）に掛け留めするためのフック状の端部（４７）を備え、第１のナット半体（４４ａ）の他方の端部（５２）に、係止エッジ（５４）を有する係止トング（５３）が形成されており、両方のナット半体（４４ａ，４４ｂ）を組み立てる際に、係止トング（５３）が、第２のナット半体（４４ｂ）の他方の端部（５５）に形成された保持ウェブ（５６）を下から把握し、係止エッジ（５４）が保持ウェブ（５６）の背面（５７）を係止することを特徴とする袋ナット。
【請求項５】
請求項１の上位概念に記載の袋ナットにおいて、
袋ナットが、端部に当接条片（５９，６０）が形成された２つのナット半体（５８ａ，５８ｂ）と、２つのクランプ脚部（６４，６５）と結合ウェブ（６６）によって構成された、バネ（６８，６９）上に差し込むための溝（６７）を有する２つのクランプ部材（６３）によって構成されており、これらのバネが、それぞれ、継ぎ合わせられたナット半体（５８ａ，５８ｂ）の２つの当接条片（５９，６１；６０，６２）によって構成されることを特徴とする袋ナット。
【請求項６】
クランプ部材（６３）が、クランプ部材（６３）のクランプ脚部（６４，６５）のインナエッジ（７０，７１）に形成された薄いウェブ（７２，７３）によって解放しないように保護されており、これらのウェブが、両方のナット半体（５８ａ，５８ｂ）の当接条片（５９，６１；６０，６２）によって構成されるバネ（６８，６９）上にクランプ部材（６３）を差し込む際に、当接条片（５９，６１；６０，６２）のアウタエッジ（７６）内の溝（７４，７５）と係合することを特徴とする請求項５に記載の袋ナット。
【請求項７】
ウェブ（７２，７３）が、クランプ部材（６３）の差込端（６３ａ）においてストッパ（７７）を構成するために中断されており、このストッパが、継ぎ合わされたナット半体（５８ａ，５８ｂ）のバネ（６８，６９）上にクランプ部材を差し込む際にこのクランプ部材（６３）を正確に位置決めしかつクランプ部材（６３）を保護するために、ナット半体（５８ａ，５８ｂ）の当接条片（５９，６０；６１，６２）内の溝（７４，７５）の端部に構成された相手ストッパ（７８）と協働することを特徴とする請求項６に記載の袋ナット。
【請求項８】
請求項１の上位概念に記載の袋ナットにおいて、
袋ナットが、結合ピン（８０）によって組立て可能なそれぞれ１つの内ネジセグメント（５０）を有する２つのナット半体（７９ａ，７９ｂ）によって構成されており、ナット半体（７９ａ，７９ｂ）の両端部（８１，８２；８３，８４）に、差込孔（８７）を有する突出部（８５，８６）が形成されており、これらの突出部が、周方向にナット半体（７９ａ，７９ｂ）の端部（８１，８２；８３，８４）を超えて突出し、一方のナット半体（７９ａ）の突出部（８５）が、他方のナット半体（７９ｂ）の突出部（８６）に対して、ナット半体（７９ａ，７９ｂ）を継ぎ合わせる際に突出部（８５，８６）が係合しかつその差込孔（８７）が結合ピン（８０）を差し込むために互いに一直線上に位置するようにずらされていることを特徴とする袋ナット。
【請求項９】
請求項１の上位概念に記載の袋ナットにおいて、
袋ナットが、結合ピン（８０）とフック結合部（８９）によって組立て可能なそれぞれ１つの内ネジセグメント（５０）を有する２つのナット半体（８８ａ，８８ｂ）によって構成されており、両方のナット半体（８８ａ，８８ｂ）の一方の端部（９０，９２）に、差込孔（８７）を有する突出部（８５，８６）が形成されており、これらの突出部が、周方向にナット半体（８８ａ，８８ｂ）の端部（９０，９２）を超えて突出し、一方のナット半体（８８ａ）の突出部（８５）が、他方のナット半体（８８ｂ）の突出部（８６）に対して、ナット半体（８８ａ，８８ｂ）を継ぎ合わせる際に突出部（８５，８６）が係合しかつその差込孔（８７）が結合ピン（８０）を差し込むために互いに一直線上に位置するようにずらされていること、一方のナット半体（８８ａ）の他方の端部（９１）に、第２のナット半体（８８ｂ）の他方の端部（９３）内のネジセグメント（５０）の空所（４９）の差込口（９５）に掛け留めするためのフック（９４）が形成されていることを特徴とする袋ナット。
【発明の詳細な説明】
【技術分野】
【０００１】
本発明は、第１の構造部分上で２つのナット半体から組み立てられ、かつこの構造部分上に脱落不能に保持され、これらナット半体が、第２の構造部分とネジ留めすべき第１の構造部分の相応のフランジに作用させるための、特に外ネジを備えている液体及びばら荷のための合成物質又は金属から成る輸送及び貯蔵用容器の流出管に取水栓の栓ハウジングをネジ留めするための内ネジセグメントと内に向かって整向されたリングショルダセグメントを備える合成物質から成る袋ナットに関する。
【背景技術】
【０００２】
特許文献１から、パレット状の台座上に存在する合成物質から成るインナタンクとアウタ格子ケージを有する液体のための輸送及び貯蔵用容器が公知である。インナタンクの取水栓は、脱落不能に栓の流入管上に配設されたこの種の様式の合成物質から成る袋ナットによって、但し、この袋ナットは、２つのナット半体を流入管上で溶接で継いだものであるが、インナタンクの流出管にネジ留めされる。アルミニウムから成る袋ナットを製造する場合、両方のナット半体は、取水栓の流入管上でリベットで継がれる。取水栓の流入管上で袋ナットをこのように脱落不能に装着することは、面倒で時間がかかり、製造コストを高価にする。
【特許文献１】独国特許出願公告第１０３  ０１  ５１７号明細書
【発明の開示】
【発明が解決しようとする課題】
【０００３】
本発明の基本にある課題は、この種の袋ナットを簡単な取付けを顧慮して更に発展させることである。
【課題を解決するための手段】
【０００４】
この課題は、本発明によれば、特許請求項１，３，４及び５による袋ナットによって解決される。
【０００５】
下位の請求項は、本発明の有利かつ有効な発展構成を内容としている。
【発明を実施するための最良の形態】
【０００６】
本発明による袋ナットを、以下で図面の図を基にして説明する。
【０００７】
高密度のポリエチレン（ＰＥ−ＨＤ）から製造された図１によるフラップ式コック１のコックハウジング２は、コックハウジング２の流入管７の流入路６と流出管９の流出路８と接続しているハウジングチャンバ５の中央の貫流口４を開閉するためのフラップディスク３を収容する。フラップディスク３は、偏心して回転軸１０に固定されており、この回転軸の両端部１０ａ，１０ｂは、コックハウジング２の軸受管１１，１２に回転可能に軸受けされており、その際、回転軸１０の上端部１０ｂは、軸受管１２を超えてコックハウジング２から外に向かって突出する。回転軸１０は、シールリング１３によって軸受管１２内で外に向かってシールされている。コックハウジング２から突出するフラップディスク３の回転軸１０の端部１０ｂの上に、フラップ式コック１の開閉をするための取っ手１４が取り付けられている。
【０００８】
フラップ式コック１は、合成物質から成る袋ナット１５によって、液体容器１７、例えばパレットタンクの合成物質のインナタンク、の流出管１６に固定されており、その際、液体容器１７は、外ネジ１８を備えている流出管１６と一体的に中空成形によって製造されている。
【０００９】
袋ナット１５は、コックハウジング２の流入管７のフランジ１９と軸受管１１，１２の間で、脱落不能でスライド可能にコックハウジング２の流入管上に保持されている。
【００１０】
リングショルダ２０を流入管７のフランジ１９に作用させる、コックハウジング２の流入管７上に脱落不能に保持された袋ナット１５を流出管１６にねじ込むことによって液体容器１７の流出管１６にコックハウジング２の流入管７を嵌め込む場合、流入管７上に位置するシールリング２１は、フランジ１９と液体容器１７の流出管１６の外端部１６ａの間で緊張され、これにより、フラップ式コック１のハウジング２が液体容器１７に対してシールされる。
【００１１】
図２〜４による袋ナット１５は、合成物質の射出成形部品として製造された内ネジセグメント２２ａ，２２ｂと内に向かって整向されたリングショルダセグメント２０ａ，２０ｂを有するナット半体１５ａ，１５ｂから成る。袋ナット１５の両方のナット半体１５ａ，１５ｂは、溝−バネ結合部２３によってコックハウジング２の流入管７上でスライド可能であり、その際、一方のナット半体１５ａは、内に向かって面取りされたクランプ脚部２６と他方のナット半体１５ｂの両端部２８，２９に形成されたバネ３０，３１を収容するための溝２７を有する２つのフック状の端部２４，２５を備える。
【００１２】
図５〜７による袋ナット３２は、フック結合部３３及びクリップ結合部３４によって組み立てられる２つのナット半体３２ａ，３２ｂを備えている。第１のナット半体３２ａは、第２のナット半体３２ｂの端部３７に形成された継板部３８の相応の差込口３６に掛け留めするためのフック状の端部３５を備えており、第１のナット半体３２ａの他方の端部３９には、第２のナット半体３２ｂの他方の端部４２に形成された継板部４３の相応の開口部４１に係入するカム４０が形成されている。
【００１３】
図８〜１０による袋ナット４４のナット半体４４ａ，４４ｂは、フック結合部４５とクリップ結合部４６によって互いに結合される。第１のナット半体４４ａは、第２のナット半体４４ｂの一方の端部５１内の内ネジセグメント５０の空所４９の差込口４８に掛け留めするためのフック状の端部４７を備えており、第１のナット半体４４ａの他方の端部５２には、係止エッジ５４を有する係止トング５３が形成されている。両方のナット半体４４ａ，４４ｂを組み立てる場合、係止トング５３は、第２のナット半体４４ｂの他方の端部５５に形成された段のついた保持ウェブ５６を下から把握し、係止エッジ５４が保持ウェブ５６の背面５７を係止する。
【００１４】
図１１〜１３に図示された袋ナット５８は、端部に当接条片５９，６０；６１，６２が形成された２つのナット半体５８ａ，５８ｂと、２つのクランプ脚部５４，６５と結合ウェブ６６によって構成された、バネ６８，６９上に差し込むための溝６７を有する２つのクランプ部材６３から成り、これらのバネは、それぞれ、継ぎ合わせられたナット半体５８ａ，５８ｂの２つの当接条片５９，６１と６０，６２によって構成される。
【００１５】
解放しないようにクランプ部材６３を保護するために、クランプ部材６３のクランプ脚部６４，６４のインナエッジ７０，７１に薄いウェブ７２，７３が形成されており、これらのウェブは、両方のナット半体５８ａ，５８ｂの当接条片５９，６１；６０，６２によって構成されるバネ６８，６９上にクランプ部材６３を差し込む際に、当接条片５９，６１；６０，６２のアウタエッジ７６内の溝７４，７５と係合する。
【００１６】
ウェブ７２，７３は、クランプ部材６３の差込端６３ａにストッパ７７を構成するために中断されており、このストッパは、継ぎ合わされたナット半体５８ａ，５８ｂのバネ６８，６９上に差し込む際にクランプ部材６３を正確に位置決めしかつクランプ部材６３を保護するために、ナット半体５８ａ，５８ｂの当接条片５９，６０；６１，６２内の溝７４，７５の端部に構成された相手ストッパ７８と協働する。
【００１７】
図１４及び１５に図示された袋ナット７９は、結合ピン８０によって組立て可能なそれぞれ１つの内ネジセグメント５０を有する２つのナット半体７９ａ，７９ｂを備え、これらナット半体の両端部８１，８２；８３，８４に、それぞれ、差込孔８７を有する２つの突出部８５；８６が形成されており、これらの突出部は、周方向に端部８１，８２；８３，８４を超えて突出する。一方のナット半体７９ａの突出部８５は、他方のナット半体７９ｂの突出部８６に対して、ナット半体７９ａ，７９ｂを継ぎ合わせる際に突出部８５，８６が係合しかつその差込孔８７が結合ピン８０を差し込むために互いに一直線上に位置するようにずらされている。
【００１８】
図１６及び１７による袋ナット８８は、結合ピン８０とフック結合部８９によって組立て可能なそれぞれ１つのネジセグメント５０を有する２つのナット半体８８ａ，８８ｂから成る。両方のナット半体８８ａ，８８ｂの一方の端部９０，９２には、差込孔８７を有する突出部８５，８６が形成されており、これらの突出部は、周方向にナット半体８８ａ，８８ｂの端部９０，９２を超えて突出する。一方のナット半体８８ａの突出部８５は、他方のナット半体８８ｂの突出部８６に対して、ナット半体８８ａ，８８ｂを継ぎ合わせる際に突出部８５，８６が係合しかつその差込孔８７が結合ピン８０を差し込む際に互いに一直線上に位置するようにずらされている。一方のナット半体８８ａの他方の端部９１には、第２のナット半体８８ｂの他方の端部９３内のネジセグメント５０の空所４９の差込口９５に掛け留めするためのフック９４が形成されている。
【００１９】
種々の袋ナット１５，３２，４４，５８，８８は、周囲にグリップリブ９６を組立て補助として備えている。
【図面の簡単な説明】
【００２０】
【図１】図２〜４で詳細に図示された袋ナットによって液体容器の流出管にネジ留めされているフラップ式コックの縦断面図である。
【図２】図１によるフラップ式コックをネジ留めするために使用される袋ナットのナット半体が分離している場合の斜視図である。
【図３】図１によるフラップ式コックをネジ留めするために使用される袋ナットのナット半体が組み立てられている場合の斜視図である。
【図４】図３の線ＩＶ−ＩＶによる断面図である。
【図５】袋ナットの第２の実施形のナット半体が分離している場合の斜視図である。
【図６】袋ナットの第２の実施形のナット半体が組み立てられている場合の斜視図である。
【図７】図６の線ＶＩＩ−ＶＩＩによる断面図である。
【図８】袋ナットの第３の実施例のナット半体が分離している場合の斜視図である。
【図９】袋ナットの第３の実施例のナット半体が組み立てられている場合の斜視図である。
【図１０】図９の線Ｘ−Ｘによる断面図である。
【図１１】袋ナットの第４の実施形の２つのクランプ部材を有するナット半体が分離している場合の斜視図を示す。
【図１２】袋ナットの第４の実施形のナット半体が組み立てられている場合の斜視図である。
【図１３】図１２の線ＸＩＩＩ−ＸＩＩＩによる断面図である。
【図１４】袋ナットの第５の実施形のナット半体が分離している場合の斜視図である。
【図１５】袋ナットの第５の実施形のナット半体が組み立てられている場合の斜視図である。
【図１６】袋ナットの第６の実施形のナット半体が分離している場合の斜視図である。
【図１７】袋ナットの第６の実施形のナット半体が組み立てられている場合の斜視図である。
【符号の説明】
【００２１】
１        フラップ式コック
２        コックハウジング
３        フラップディスク
４        貫流口
５        ハウジングチャンバ
６        流入路
７        流入管
８        流出路
９        流出管
１０      回転軸
１０ａ    端部
１０ｂ    端部
１１      軸受管
１２      軸受管
１３      シールリング
１４      取っ手
１５      袋ナット
１５ａ    ナット半体
１５ｂ    ナット半体
１６      流出管
１６ａ    外端部
１７      液体容器
１８      外ネジ
１９      フランジ
２０      リングショルダ
２０ａ    リングショルダセグメント
２０ｂ    リングショルダセグメント
２１      シールリング
２２ａ    内ネジセグメント
２２ｂ    内ネジセグメント
２３      溝−バネ結合部
２４      端部
２５      端部
２６      クランプ脚部
２７      溝
２８      端部
２９      端部
３０      バネ
３１      バネ
９６      グリップリブ
【図１】
2006052854.tif 000003
【図２】
2006052854.tif 000004
【図３】
2006052854.tif 000005
【図４】
2006052854.tif 000006
【図５】
2006052854.tif 000007
【図６】
2006052854.tif 000008
【図７】
2006052854.tif 000009
【図８】
2006052854.tif 000010
【図９】
2006052854.tif 000011
【図１０】
2006052854.tif 000012
【図１１】
2006052854.tif 000013
【図１２】
2006052854.tif 000014
【図１３】
2006052854.tif 000015
【図１４】
2006052854.tif 000016
【図１５】
2006052854.tif 000017
【図１６】
2006052854.tif 000018
【図１７】
2006052854.tif 000019